(57)【要約】【課題】電波ホッパーゴトを防ぐことができる遊技機を提供する。【解決手段】ホッパー装置60は、複数枚のメダルを貯留可能なタンク61と、タンク61内のメダルを吐出口64から排出する排出装置63と、吐出口64からのメダルの排出を検知する２つの排出センサとを備える。排出装置63の作動停止時において、第１排出センサ81の信号の電圧レベルはローであり、第２排出センサ82の信号の電圧レベルはハイである。排出装置63の作動により１枚のメダルが吐出口64から排出される度に、第１排出センサ81の信号の電圧レベルがハイとなるとともに、第２排出センサ82の信号の電圧レベルがローとなる。第１排出センサ81及び第２排出センサ82の信号の電圧レベルが双方ともハイとなる状態が所定時間継続した場合に、ホッパー装置60に異常が発生したと判断する。【選択図】図１１
2012245024.tif 000002
【特許請求の範囲】
【請求項１】
メダルを払い出すホッパー装置を備えた遊技機であって、
前記ホッパー装置は、
複数枚のメダルを貯留可能なタンクと、
前記タンク内のメダルを吐出口から排出する排出装置と、
前記吐出口からのメダルの排出を検知する２つの排出センサとを備え、
前記排出装置の作動停止時において、前記２つの排出センサのうちの一方（以下「第１排出センサ」という。）から出力される信号の電圧レベルはローであり、他方（以下「第２排出センサ」という。）から出力される信号の電圧レベルはハイであり、
前記排出装置の作動により１枚のメダルが前記吐出口から排出される度に、前記第１排出センサから出力される信号の電圧レベルがハイとなるとともに、前記第２排出センサから出力される信号の電圧レベルがローとなるように形成され、
前記第１排出センサ及び前記第２排出センサから出力される信号の電圧レベルが双方ともハイとなる状態が所定時間継続した場合に、前記ホッパー装置に異常が発生したと判断することを特徴とする遊技機。
【請求項２】
前記排出装置は、第１位置から第２位置までの間を揺動するカウントアームを備え、
前記第１排出センサは、前記カウントアームが第１位置に位置することを検知し、
前記第２排出センサは、前記カウントアームが第２位置に位置することを検知し、
前記カウントアームは、前記排出装置の作動停止時において第１位置に位置し、前記排出装置の作動により１枚のメダルが前記吐出口から排出される度に第１位置から第２位置まで往復することを特徴とする請求項１記載の遊技機。
【請求項３】
前記第１排出センサから出力される信号の電圧レベルがローからハイへ立ち上がったことを契機に計時を開始する排出センサ監視タイマを備え、
前記排出センサ監視タイマが計時を開始して以後、前記第２排出センサから出力される信号の電圧レベルがハイの状態を継続したまま前記排出センサ監視タイマの計時時間が所定時間に達した場合に、前記ホッパー装置に異常が発生したと判断し、
前記排出センサ監視タイマは、前記第２排出センサから出力される信号の電圧レベルがハイからローへ立ち下がったことを契機に、計時時間をリセットして改めて計時を開始し、
前記排出センサ監視タイマが計時時間をリセットして改めて計時を開始して以後、前記第１排出センサから出力される信号の電圧レベルがハイの状態を継続したまま前記排出センサ監視タイマの計時時間が所定時間に達した場合に、前記ホッパー装置に異常が発生したと判断することを特徴とする請求項２記載の遊技機。
【発明の詳細な説明】
【技術分野】
【０００１】
本発明は、メダルを払い出すホッパー装置を備えた遊技機に関する。
【背景技術】
【０００２】
従来、メダルを遊技媒体としたスロットマシン等の遊技機には、メダルを払い出すホッパー装置が設置される。このホッパー装置には、複数枚のメダルを貯留可能なタンクと、タンク内のメダルを排出する排出装置とが設けられる。
排出装置には、タンク内のメダルを吐出口へ送り出すディスクローターと、メダルの吐出口への移動に伴って揺動するカウントアームと、カウントアームの揺動を検知する排出センサとを備えている。そして、カウントアームが揺動して排出センサに検知されると、排出センサの出力する信号の電圧レベルがハイからローへ切り替わり、カウントアームが常態に復すると、排出センサの信号の電圧レベルもローからハイへ戻る。これにより１枚のメダルを払い出したと判断していた。
【０００３】
ところが、不正器具を排出装置内に侵入させてカウントアームの揺動を阻害し、払い出したメダルの枚数の計数を不能にすることにより、多くのメダルを払い出させる不正行為が行われることがあった。
そこで、不正器具をカウントアームへ到達させ難くして上述の不正行為を防ぐ技術が公開されている（特許文献１及び２参照）。
【先行技術文献】
【特許文献】
【０００４】
【特許文献１】特開２００１−２７６３１７号公報
【特許文献２】特開２００９−２３３０３０号公報
【発明の概要】
【発明が解決しようとする課題】
【０００５】
ところが、排出装置に強力な電磁波を照射すると、排出センサの出力する信号の電圧レベルが強制的にローからハイへ立ち上がる。そして、排出センサの出力する信号の電圧レベルをハイに固定して、メダルの払い出し枚数の計数を不能にしている間に、排出装置に多くのメダルを払い出させる不正行為（以下「電波ホッパーゴト」という。）が行われることがあった。
しかし、従来のポッパー装置では、不正器具を挿入してカウントアームの揺動を阻害する不正行為を防ぐことはできたが、電磁波により排出センサを誤検知させる電波ホッパーゴトを防ぐことはできなかった。
【０００６】
そこで、本発明は、電波ホッパーゴトを防ぐことができる遊技機を提供することを課題とする。
【課題を解決するための手段】
【０００７】
（１）第１の発明
前記課題を解決するために、本発明のうち第１の発明は、
メダルを払い出すホッパー装置(60)を備えた遊技機であって、
前記ホッパー装置(60)は、
複数枚のメダルを貯留可能なタンク(61)と、
前記タンク(61)内のメダルを吐出口(64)から排出する排出装置(63)と、
前記吐出口(64)からのメダルの排出を検知する２つの排出センサとを備え、
前記排出装置(63)の作動停止時において、前記２つの排出センサのうちの一方（以下「第１排出センサ(81)」という。）から出力される信号の電圧レベルはローであり、他方（以下「第２排出センサ(82)」という。）から出力される信号の電圧レベルはハイであり、
前記排出装置(63)の作動により１枚のメダルが前記吐出口(64)から排出される度に、前記第１排出センサ(81)から出力される信号の電圧レベルがハイとなるとともに、前記第２排出センサ(82)から出力される信号の電圧レベルがローとなるように形成され、
前記第１排出センサ(81)及び前記第２排出センサ(82)から出力される信号の電圧レベルが双方ともハイとなる状態が所定時間継続した場合に、前記ホッパー装置(60)に異常が発生したと判断することを特徴とする。
【０００８】
（２）第２の発明
前記課題を解決するために、本発明のうち第２の発明は、前記第１の発明の特徴に加え、
前記排出装置(63)は、第１位置から第２位置までの間を揺動するカウントアーム(75)を備え、
前記第１排出センサ(81)は、前記カウントアーム(75)が第１位置に位置することを検知し、
前記第２排出センサ(82)は、前記カウントアーム(75)が第２位置に位置することを検知し、
前記カウントアーム(75)は、前記排出装置(63)の作動停止時において第１位置に位置し、前記排出装置(63)の作動により１枚のメダルが前記吐出口(64)から排出される度に第１位置から第２位置まで往復することを特徴とする。
【０００９】
（３）第３の発明
前記課題を解決するために、本発明のうち第３の発明は、前記第２の発明の特徴に加え、
前記第１排出センサ(81)から出力される信号の電圧レベルがローからハイへ立ち上がったことを契機に計時を開始する排出センサ監視タイマ(140)を備え、
前記排出センサ監視タイマ(140)が計時を開始して以後、前記第２排出センサ(82)から出力される信号の電圧レベルがハイの状態を継続したまま前記排出センサ監視タイマ(140)の計時時間が所定時間に達した場合に、前記ホッパー装置(60)に異常が発生したと判断し、
前記排出センサ監視タイマ(140)は、前記第２排出センサ(82)から出力される信号の電圧レベルがハイからローへ立ち下がったことを契機に、計時時間をリセットして改めて計時を開始し、
前記排出センサ監視タイマ(140)が計時時間をリセットして改めて計時を開始して以後、前記第１排出センサ(81)から出力される信号の電圧レベルがハイの状態を継続したまま前記排出センサ監視タイマ(140)の計時時間が所定時間に達した場合に、前記ホッパー装置(60)に異常が発生したと判断することを特徴とする。
【発明の効果】
【００１０】
（第１または第２の発明）
本発明のうち第１または第２の発明によると、以下に記す効果を相する。
すなわち、第１排出センサ及び第２排出センサの信号の電圧レベルが双方ともハイとなる状態が所定時間継続すると、ホッパー装置に異常が発生したと判断するようになっている。
したがって、排出装置に強力な電磁波が照射され、第１排出センサ及び第２排出センサの信号が強制的にハイレベルに固定された場合に、これをホッパー装置の異常として検出することができ、排出装置の作動を停止させたり、異常の発生を報知したりすることにより、電波ホッパーゴトを防ぐことができる。
【００１１】
（第３の発明）
本発明のうち第３の発明によると、上記第１または第２の発明の効果に加え、以下に記す効果を奏する。
すなわち、排出センサ監視タイマは、第１排出センサの信号の電圧レベルがローからハイへ立ち上がったことを契機に計時を開始する。そして、第２排出センサの信号の電圧レベルがハイになったまま排出センサ監視タイマの計時時間が所定時間に達した場合に、ホッパー装置に異常が発生したと判断するようになっている。
また、第２排出センサの信号の電圧レベルがハイからローへ立ち下がったことを契機に、排出センサ監視タイマの計時時間をリセットして改めて計時を開始する。そして、第１排出センサの信号の電圧レベルがハイになったまま排出センサ監視タイマの計時時間が所定時間に達した場合に、ホッパー装置に異常が発生したと判断するようになっている。
【００１２】
したがって、排出装置に強力な電磁波が照射され、第１排出センサ及び第２排出センサの信号が強制的にハイレベルに固定された場合に、これをホッパー装置の異常として検出することができ、排出装置の作動を停止させたり、異常の発生を報知したりすることにより、電波ホッパーゴトを防ぐことができる。
【図面の簡単な説明】
【００１３】
【図１】本実施の形態に係るスロットマシンを示す正面図である。
【図２】本実施の形態に係るスロットマシンにおいて前扉を開放した状態を示す正面図である。
【図３】本実施の形態に係るホッパー装置を示す斜視図である。
【図４】本実施の形態に係るホッパー装置を示す分解斜視図である。
【図５】本実施の形態に係る排出装置を一部破断して示す平面図である。
【図６】本実施の形態に係る排出装置においてカウントアームが揺動する様子を示す平面図である。
【図７】本実施の形態に係る排出装置においてカウントアームが揺動する様子を示す平面図である。
【図８】本実施の形態に係る排出装置においてカウントアームが揺動する様子を示す平面図である。
【図９】本実施の形態に係るスロットマシンにおける第１排出センサ及び第２排出センサの電圧レベルの遷移を示すタイミングチャートである。
【図１０】本実施の形態に係るスロットマシンの制御システムの概略を示すブロック図である。
【図１１】本実施の形態に係るスロットマシンにおけるメダル排出制御処理を示すフローチャートである。
【発明を実施するための形態】
【００１４】
本発明を実施するための形態を、図面を参照しつつ説明する。
なお、「正面」とは、スロットマシンSにおける、遊技者が遊技を行う際に向き合う面をいう。また、「右側」とは、スロットマシンSの正面に向き合う遊技者から見て右側を意味し、「左側」とは、スロットマシンSの正面に向き合う遊技者から見て左側を意味する。
（スロットマシンS）
本実施の形態に係るスロットマシンSは、遊技媒体としてメダルを用いて遊技が行われる。
【００１５】
スロットマシンSは、図２に示すように、正面側に開口する正面開口部11を有する箱形の筐体1を備えている。また、筐体1の正面には、筐体1の正面開口部11を開閉可能に閉塞する前扉3が設けられている。
（筐体1）
筐体1は、図２に示すように、底板15、左右の側板である左側板16Bと右側板16A、天板17及び背板18からなる正面側に開口する箱形に形成されている。また、筐体1における高さ方向略中央の位置には、中板12が略水平に設けられている。
底板15の上面には、各部品に電力を供給するための電源装置を内蔵した電源ユニット4が固定されている。また、電源ユニット4の前面には、電源のオン／オフの切り替えを行うための電源スイッチ、設定変更のオン／オフの切り替えを行うための設定キースイッチ、設定値を変更するための設定変更スイッチ、エラーを解除するためのリセットスイッチ等が設けられている。
【００１６】
また、底板15の上面には、メダルを払い出すためのホッパー装置60が設置されている。ホッパー装置60は、複数のメダルを貯留可能なタンク61と、タンク61内のメダルを１枚ずつ送り出す送出装置とを備えている。
背板18の上部には、メイン制御基板ユニット24が設けられている。メイン制御基板ユニット24は、ＣＰＵ、ＲＯＭ、ＲＡＭ、Ｉ／Ｏ等の電子部品を備えたメイン制御基板100を、基板ケースに収納したものである。そして、メイン制御基板100は、スロットマシンSの遊技の進行や役の抽選などを制御する。
中板12には、リールユニット22が設けられている。リールユニット22は、回転リール23と、回転リール23を回転駆動するステッピングモータとを、それぞれ３個ずつ備えている。各回転リール23は、合成樹脂からなる回転ドラムと、回転ドラムの周囲に貼付されるテープ状のリールテープとを備えている。このリールテープの外周面には、複数個（例えば２１個）の図柄が表示されている。
【００１７】
（前扉3）
前扉3は、筐体1の正面開口部11を開閉可能に閉塞するための扉である。前扉3は、筐体1の左側板16Bに蝶番によって回動自在に取り付けられている。
図１に示すように、前扉3における略中央の位置には、各回転リール23の図柄を正面側から見ることができる図柄表示窓31が備えられている。図柄表示窓31は、各回転リール23の図柄を３個ずつ表示可能となるように形成されている。
前扉3における図柄表示窓31の左側の位置には、ベット数を表示するベット数表示部36が設けられている。また、前扉3における図柄表示窓31の下方の位置には、クレジット数を表示するクレジット数表示部37が設けられている。
【００１８】
前扉3の上部には、液晶ディスプレイやＣＲＴ等の画像表示装置34が設けられている。画像表示装置34は、各当選役の図柄配列や遊技履歴等の情報の画像や、遊技の状態や当選役の抽選結果を報知する画像等を表示する。前扉3における画像表示装置34の周囲には、ランプ33が設けられている。ランプ33は、様々な点滅パターンで点滅することにより、遊技を盛り上げることができる。
前扉3における高さ方向略中央の位置には、クレジットされたメダルを減じてメダルの投入に代えるためのベットスイッチ51、クレジットされたメダルを払い出すための精算スイッチ52、ゲームを開始させるためのスタートスイッチ53、回転リール23の回転を停止させるためのストップスイッチ54、及び、メダルを１枚ずつ投入するためのメダル投入口42が設けられている。
【００１９】
前扉3の下部には、スロットマシンS内からメダルを排出するためのメダル払出口41と、メダル払出口41から排出されたメダルを溜めておくための受け皿43とが形成されている。
図２に示すように、前扉3の裏面における高さ方向略中央の位置には、メダル投入口42から投入されたメダルを誘導しながら真贋で選別するためのメダルセレクター6が設けられている。また、前扉3の裏面には、メダルセレクター6の下方に開口し、メダル払出口41に連通するメダル排出部44が設けられている。また、前扉3の裏面上部及び下部には、種々のサウンドを出力するためのスピーカ35が２つずつ設けられている。
前扉3の裏面上部には、サブ制御基板ユニット25が設けられている。サブ制御基板ユニット25は、ＣＰＵ、ＲＯＭ、ＲＡＭ、Ｉ／Ｏ等の電子部品を備えたサブ制御基板200を、基板ケースに収納したものである。サブ制御基板200は、スピーカ35の音声出力やランプ33の点灯などの演出を制御する。そして、前述のメイン制御基板100とサブ制御基板200とは、ワイヤーハーネス（図示せず）によって接続されている。
【００２０】
（ホッパー装置60）
図３に示すように、ホッパー装置60は、複数枚のメダルを貯留可能なタンク61と、タンク61の下部に取り付けられた排出装置63とを備えている。また、ホッパー装置60は、筐体1の底板15に載置される台座62を備えており、この台座62の上部に排出装置63が固定されている。排出装置63は、タンク61内のメダルを吐出口64から１枚ずつ排出することが可能である。排出装置63によってタンク61から送り出されたメダルは、メダル排出部44を通って受け皿43に払い出される。
図４に示すように、排出装置63は、円盤型の凹部66が形成されたベース65と、凹部66に回転可能に取り付けられる円盤型のディスクローター71と、ディスクローター71を回転駆動するモータ68（図１０参照）とを備えている。
【００２１】
ディスクローター71は、タンク61の底部に位置する。また、ディスクローター71には、タンク61内のメダルを１枚ずつ取り込むための取込穴72が厚み方向に複数個形成されている。図５に示すように、ディスクローター71における下面側の位置には、取込穴72と同数の羽根74を有する羽根車73が形成されている。ディスクローター71の取込穴72に入り込んだメダルは、ベース65の凹部66に落下し、回転するディスクローター71の羽根74によって吐出口64へ向けて押し動かされる。
ベース65における下面側の位置には、吐出口64からメダルを排出する度に揺動するカウントアーム75が設けられている。カウントアーム75は、ベース65に軸支されるとともに、第１位置から第２位置までの間を揺動する。また、カウントアーム75は、第１位置が常態となるように、バネ（図示せず）で付勢されている。カウントアーム75の一端には、円柱状の当接部76が形成されており、この当接部76は、ベース65の貫通穴67に挿通されて上面側に露出している。また、カウントアーム75の他端には、後述の排出センサに検知される被検知片77が形成されている。
【００２２】
ベース65における下面側の位置には、吐出口64からのメダルの排出を検知する２つの排出センサが設けられている。本実施の形態では、排出センサとして光透過形センサが用いられている。
２つの排出センサのうちの一方（以下「第１排出センサ81」という。）は、カウントアーム75が第１位置に位置する場合に被検知片77が第１排出センサ81の発光素子と受光素子との間に入り込んで光を遮断することにより、カウントアーム75が第１位置に位置することを検知する。また、２つの排出センサのうちの他方（以下「第２排出センサ82」という。）は、カウントアーム75が第２位置に位置する場合に被検知片77が第２排出センサ82の発光素子と受光素子との間に入り込んで光を遮断することにより、カウントアーム75が第２位置に位置することを検知する。
【００２３】
そして、２つの排出センサは、カウントアーム75の被検知片77が発光素子と受光素子との間に入り込んで光を遮断する場合には、電圧レベルがローの信号を出力し、カウントアーム75の被検知片77が発光素子と受光素子との間から抜け出て受光素子が光を捉える場合には、電圧レベルがハイの信号を出力するようになっている。
次に、ディスクローター71がメダルを送り出す際のカウントアーム75が揺動する様子と、第１排出センサ81及び第２排出センサ82の電圧レベルの遷移について、図６ないし図９を参照しつつ説明する。
ディスクローター71が回転して羽根74がメダルMを押し動かしていくと、第１位置に位置するカウントアーム75の当接部76にメダルMが接触する（図６参照）。このとき、カウントアーム75の被検知片77が第１排出センサ81の発光素子と受光素子との間にのみ入り込んでいることから、第１排出センサ81から出力される信号の電圧レベルはローであり、第２排出センサ82から出力される信号の電圧レベルはハイである（図９（Ａ）参照）。
【００２４】
さらにディスクローター71が回転して羽根74がメダルMを押し動かしていくと、カウントアーム75がメダルMに押されて第２位置へ向けて揺動し、被検知片77が第１排出センサ81の発光素子と受光素子との間から抜け出る（図７参照）。したがって、第１排出センサ81から出力される信号の電圧レベルはハイであり、第２排出センサ82から出力される信号の電圧レベルもハイである（図９（Ｂ）参照）。
さらにディスクローター71が回転して羽根74がメダルMを吐出口64へ向けて押し動かすと、カウントアーム75が第２位置へ到達する（図８参照）。このとき、カウントアーム75の被検知片77が第２排出センサ82の発光素子と受光素子との間にのみ入り込むことから、第１排出センサ81から出力される信号の電圧レベルはハイであり、第２排出センサ82から出力される信号の電圧レベルはローである（図９（Ｃ）参照）。
【００２５】
そして、さらにディスクローター71が回転すると、カウントアーム75はバネの付勢力により第１位置へ向けて揺動し、被検知片77が第２排出センサ82の発光素子と受光素子との間から抜け出る。したがって、第１排出センサ81から出力される信号の電圧レベルはハイであり、第２排出センサ82から出力される信号の電圧レベルもハイである（図９（Ｄ）参照）。そして、カウントアーム75がバネの付勢力により第１位置へ到達し、被検知片77が第１排出センサ81の発光素子と受光素子との間にのみ入り込む。したがって、第１排出センサ81から出力される信号の電圧レベルはローであり、第２排出センサ82から出力される信号の電圧レベルはハイである（図９（Ｅ）参照）。
【００２６】
（メイン制御基板100）
図１０に示すように、メイン制御基板100には、ベットスイッチ51、精算スイッチ52、スタートスイッチ53、ストップスイッチ54、リールユニット22、メダルセレクター6、ホッパー装置60、ベット数表示部36、クレジット数表示部37などのパーツが接続されている。
また、メイン制御基板100は、ＣＰＵがＲＯＭに記憶されたプログラムを実行することにより、メダル排出制御手段110、モータ駆動監視タイマ120、排出エラー判断手段130、排出センサ監視タイマ140、排出センサエラー判断手段150などとして機能する。
【００２７】
また、サブ制御基板200には、ランプ33、画像表示装置34、スピーカ35,45などのパーツが接続されている。
（役の抽選）
メイン制御基板100のＲＯＭには、乱数発生器の発生させる各乱数について、いずれの役に当選かまたはハズレかを割り振った複数の当選判定テーブルが格納されている。
また、メダル投入口42からのメダルの投入、若しくはベットスイッチ51の押下によりメダルがベットされた場合、または前回のゲームで再遊技に入賞した場合において、スタートスイッチ53の操作を契機に乱数発生器の発生する乱数から１つの数値を抽出する。そして、抽出した数値データを、遊技状態などに応じて選択した当選判定テーブルにおける役の当選領域と対比して、数値データがいずれかの当選領域に属する場合には当該当選領域に対応する役の当選を決定し、当該数値データがいずれの当選領域にも属さない場合には、「ハズレ」の決定をする。また、メイン制御基板100は、役の抽選結果に関する信号をサブ制御基板へ送信するようになっている。
【００２８】
また、役の抽選とほぼ同時に、３個の回転リール23の回転を開始させる。その後、３個のストップスイッチ54のいずれか１個が操作されると、当該ストップスイッチ54に対応した回転リール23の回転を停止させる。したがって、３個全てのストップスイッチ54が操作されると、３個全ての回転リール23の回転が停止することになる。このとき、図柄表示窓31の有効ラインに役に係る図柄の組み合わせが揃うと、当該図柄の組み合わせに対応した役の入賞となり、所定枚数のメダルが支払われたり、特別遊技に移行したり等、所定の利益が遊技者に付与される。
（メダル排出制御手段110）
メダル排出制御手段110は、排出装置63のメダルの排出を制御する。
【００２９】
本実施の形態では、メダル排出制御手段110は、排出装置63のモータ68の駆動を制御する。
具体的には、役の入賞によりメダルを払い出す場合や、精算スイッチ52の操作によりクレジットされたメダルを払い出す場合に、メダル排出制御手段110がモータ駆動信号を出力する。このモータ駆動信号を受けてモータ68が駆動することにより、ディスクローター71が回転するようになる。
（モータ駆動監視タイマ120）
モータ駆動監視タイマ120は、排出装置63によりメダル１枚を排出する際にモータ68の駆動する時間を計時する。
【００３０】
具体的には、役の入賞によりメダルを払い出す場合や、精算スイッチ52の操作によりクレジットされたメダルを払い出す場合に、モータ駆動監視タイマ120にＴｍ秒をセットしてカウントダウンを開始する。そして、メダル排出制御手段110がモータ駆動信号を出力して、モータ68が駆動を開始する。
そして、排出装置63が１枚のメダルを排出した場合に、さらにメダルを排出させるとき、換言すると、排出装置63のモータ68の駆動を継続するときには、モータ駆動監視タイマ120は計時時間をリセットして改めて計時を開始する。つまり、モータ駆動監視タイマ120にＴｍ秒をセットし直し、改めてカウントダウンを開始する。
【００３１】
（排出エラー判断手段130）
排出エラー判断手段130は、モータ駆動監視タイマ120の計時時間に基づき、ホッパー装置60に異常が発生したか否かを判断する。この場合におけるホッパー装置60の異常（以下「排出エラー」という。）とは、具体的には、タンク61内にメダルが無い若しくは残り僅かであること、または排出装置63の吐出口64にメダルが詰ったこと等が考えられる。
本実施の形態では、排出エラー判断手段130は、モータ駆動監視タイマ120の計時時間が「０」に到達したと判定した場合に、排出エラーが発生したと判断する。これを受けてメダル排出制御手段110がモータ駆動信号の出力を停止する。したがって、モータ68が駆動を停止し、ディスクローター71も回転を停止するようになる。
【００３２】
（排出センサ監視タイマ140）
排出センサ監視タイマ140は、第１排出センサ81から出力される信号の電圧レベルがローからハイへ立ち上がったことを契機に所定時間の計時を開始する。
具体的には、第１排出センサ81から出力される信号の電圧レベルがローからハイへ立ち上がったことを契機に、排出センサ監視タイマ140にＴｓ秒（Ｔｓ＜Ｔｍ）をセットし、カウントダウンを開始する。
そして、排出センサ監視タイマ140は、第２排出センサ82から出力される信号の電圧レベルがハイからローへ立ち下がったことを契機に、計時時間をリセットして改めて計時を開始する。つまり、排出センサ監視タイマ140にＴｓ秒をセットし直し、改めてカウントダウンを開始する。
【００３３】
（排出センサエラー判断手段150）
排出センサエラー判断手段150は、排出センサ監視タイマ140の計時時間に基づき、ホッパー装置60に異常が発生したか否かを判断する。この場合におけるホッパー装置60の異常（以下「排出センサエラー」という。）とは、具体的には、強力な電磁波が照射されて排出センサが誤作動していること、不正器具によりカウントアーム75の揺動が阻害されていること、または、排出センサ若しくはカウントアーム75が故障したこと等が考えられる。
本実施の形態では、排出センサエラー判断手段150は、排出センサ監視タイマ140の計時時間が「０」に到達したと判定した場合に、排出センサエラーが発生したと判断する。これを受けてメダル排出制御手段110がモータ駆動信号の出力を停止する。したがって、モータ68が駆動を停止し、ディスクローター71も回転を停止するようになる。
【００３４】
（メダル排出制御処理）
次に、メダル排出制御処理について、図１１を参照しつつ説明する。
メダル排出制御処理は、役の入賞によりメダルを払い出す場合や、精算スイッチ52の操作によりクレジットされたメダルを払い出す場合に、以下の処理が実行される。
ステップ１０１において、排出エラーのエラー表示要求のコマンドをセットする。そして、ステップ１０２に進む。
ステップ１０２において、モータ駆動監視タイマ120にＴｍ秒をセットしてカウントダウンを開始する。そして、ステップ１０３に進む。
【００３５】
ステップ１０３において、メダル排出制御手段110がモータ駆動信号を出力する。このモータ駆動信号を受けてモータ68が駆動することにより、ディスクローター71が回転するようになる。そして、ステップ１０４に進む。
ステップ１０４において、モータ駆動監視タイマ120の計時時間について「０」であるか否かの判断を行う。そして、モータ駆動監視タイマ120の計時時間について「０」でないと判断した場合には、ステップ１０５に進む。モータ駆動監視タイマ120の計時時間について「０」であると判断した場合には、ステップ１１８に進む。
ステップ１０５において、第１排出センサ81から出力される信号の電圧レベルについて「ハイ」であるか否かの判断が行われる。そして、第１排出センサ81から出力される信号の電圧レベルについて「ハイ」であると判断した場合には、ステップ１０６に進む。第１排出センサ81から出力される信号の電圧レベルについて「ロー」であると判断した場合には、ステップ１０４に戻る。
【００３６】
ステップ１０６において、排出センサ監視タイマ140にＴｓ秒をセットしてカウントダウンを開始する。そして、ステップ１０７に進む。
ステップ１０７において、排出センサ監視タイマ140の計時時間について「０」であるか否かの判断を行う。そして、排出センサ監視タイマ140の計時時間について「０」でないと判断した場合には、ステップ１０８に進む。排出センサ監視タイマ140の計時時間について「０」であると判断した場合には、ステップ１１７に進む。
ステップ１０８において、第１排出センサ81から出力される信号の電圧レベルについて「ハイ」であるか否かの判断が行われる。そして、第１排出センサ81から出力される信号の電圧レベルについて「ハイ」であると判断した場合には、ステップ１０９に進む。第１排出センサ81から出力される信号の電圧レベルについて「ロー」であると判断した場合には、ステップ１０４に戻る。
【００３７】
ステップ１０９において、第２排出センサ82から出力される信号の電圧レベルについて「ロー」であるか否かの判断が行われる。そして、第２排出センサ82から出力される信号の電圧レベルについて「ロー」であると判断した場合には、ステップ１１０に進む。第２排出センサ82から出力される信号の電圧レベルについて「ハイ」であると判断した場合には、ステップ１０７に戻る。
ステップ１１０において、排出センサ監視タイマ140にＴｓ秒をセットし、改めてカウントダウンを開始する。そして、ステップ１１１に進む。
ステップ１１１において、排出センサ監視タイマ140の計時時間について「０」であるか否かの判断を行う。そして、排出センサ監視タイマ140の計時時間について「０」でないと判断した場合には、ステップ１１２に進む。排出センサ監視タイマ140の計時時間について「０」であると判断した場合には、ステップ１１７に進む。
【００３８】
ステップ１１２において、第２排出センサ82から出力される信号の電圧レベルについて「ハイ」であるか否かの判断が行われる。そして、第２排出センサ82から出力される信号の電圧レベルについて「ハイ」であると判断した場合には、ステップ１１３に進む。第２排出センサ82から出力される信号の電圧レベルについて「ロー」であると判断した場合には、ステップ１１１に戻る。
ステップ１１３において、第１排出センサ81から出力される信号の電圧レベルについて「ロー」であるか否かの判断が行われる。そして、第１排出センサ81から出力される信号の電圧レベルについて「ロー」であると判断した場合には、ステップ１１４に進む。第１排出センサ81から出力される信号の電圧レベルについて「ハイ」であると判断した場合には、ステップ１１１に戻る。
【００３９】
ステップ１１４において、排出装置63の吐出口64から１枚のメダルを排出したと判断する、つまりメダル１枚を払い出したと判断する。そして、ステップ１１５に進む。
ステップ１１５において、所定枚数のメダルを払い出し終えたか否かの判断を行う。そして、所定枚数のメダルを払い出し終えていないと判断した場合には、ステップ１１６に進む。所定枚数のメダルを払い出し終えたと判断した場合には、ステップ１１９に進む。
ステップ１１６において、モータ駆動監視タイマ120にＴｍ秒をセットしてカウントダウンを開始する。そして、ステップ１０４に戻る。
ステップ１１７において、排出エラーのエラー表示要求のコマンドから排出センサエラーのエラー表示要求のコマンドへ書き換える。そして、ステップ１１８に進む。
【００４０】
ステップ１１８において、セットされているエラー表示要求のコマンドに応じたエラー表示を、表示装置（例えば、画像表示装置34またはクレジット数表示部37等）に行わせる。そして、ステップ１１９に進む。
ステップ１１９において、メダル排出制御手段110がモータ駆動信号の出力を停止する。したがって、モータ68が駆動を停止し、ディスクローター71も回転を停止するようになる。そして、本処理を終了する。
以上のように、本実施の形態によれば、第１排出センサ81及び第２排出センサ82の信号の電圧レベルが双方ともハイとなる状態がＴｓ秒間継続すると、ホッパー装置60に異常が発生したと判断するようになっている。
【００４１】
具体的には、排出センサ監視タイマ140は、第１排出センサ81の信号の電圧レベルがローからハイへ立ち上がったことを契機にＴｓ秒をセットしてカウントダウンを開始する。そして、第２排出センサ82の信号の電圧レベルがハイになったまま排出センサ監視タイマ140の計時時間が「０」に達した場合に、ホッパー装置60に異常が発生したと判断するようになっている（図１１のステップ１０５〜１０９、ステップ１１７〜１１９参照）。
また、第２排出センサ82の信号の電圧レベルがハイからローへ立ち下がったことを契機に、排出センサ監視タイマ140の計時時間をＴｓ秒にリセットして改めてカウントダウンを開始する。そして、第１排出センサ81の信号の電圧レベルがハイになったまま排出センサ監視タイマ140の計時時間が「０」に達した場合に、ホッパー装置60に異常が発生したと判断するようになっている（図１１のステップ１０９〜１１３、ステップ１１７〜１１９参照）。
【００４２】
したがって、排出装置63に強力な電磁波が照射され、第１排出センサ81及び第２排出センサ82の信号が強制的にハイレベルに固定された場合に、これをホッパー装置60の異常として検出することができる。そして、排出装置63のモータ68の駆動を停止させたり、表示装置等に異常の発生を報知させたりすることにより、電波ホッパーゴトを防ぐことができる。
また、第２排出センサ82の信号の電圧レベルがハイからローへ立ち下がったことを契機に、排出センサ監視タイマ140の計時時間をＴｓ秒にリセットして改めてカウントダウンを開始する。そして、第２排出センサ82の信号の電圧レベルがローになったまま排出センサ監視タイマ140の計時時間が「０」に達した場合に、ホッパー装置60に異常が発生したと判断するようになっている（図１１のステップ１０９〜１１３、ステップ１１７〜１１９参照）。
【００４３】
したがって、不正器具が排出装置63内に侵入されてカウントアーム75が第２位置に固定された場合に、これをホッパー装置60の異常として検出することができる。そして、排出装置63のモータ68の駆動を停止させたり、表示装置等に異常の発生を報知させたりすることにより、この不正行為を防ぐことができる。
なお、本発明は、上述した実施の形態に限定されるものではなく、本発明の目的を達成できる範囲における変形や改良も含むものである。
【符号の説明】
【００４４】
60  ホッパー装置                      61  タンク
62  台座                              63  排出装置
64  吐出口                            65  ベース
66  凹部                              67  貫通穴
68  モータ
71  ディスクローター                  72  取込穴
73  羽根車                            74  羽根
75  カウントアーム                    76  当接部
77  被検知片
81  第１排出センサ                    82  第２排出センサ
82  パネル板                          83  パネル枠
84  開口部                            85  パネル突出部
86  突出片                            87  突起
88  ボス
100  メイン制御基板                   110  メダル排出制御手段
120  モータ駆動監視タイマ             130  排出エラー判断手段
140  排出センサ監視タイマ             150  排出センサエラー判断手段
【図１】
2012245024.tif 000003
【図２】
2012245024.tif 000004
【図３】
2012245024.tif 000005
【図４】
2012245024.tif 000006
【図５】
2012245024.tif 000007
【図６】
2012245024.tif 000008
【図７】
2012245024.tif 000009
【図８】
2012245024.tif 000010
【図９】
2012245024.tif 000011
【図１０】
2012245024.tif 000012
【図１１】
2012245024.tif 000013